(57)【特許請求の範囲】
【請求項１】
シールドと、
該シールド内に位置し、前部、該前部と反対側の後部、および前記前部と前記後部との間に延在する複数の端子収容通路を有し、さらには前記後部を向いて延在する突端を含む絶縁ハウジングと、
その各々が前記端子収容通路に取り付けられており、本体、および該本体の前部から延在し、バッテリの接触部と係合可能な前面接触部を有し、さらには前記本体の後部から延在し、前記突端に支持される背面接触部、および前記本体から延在し、前記前面接触部と前記背面接触部との間に配置される尾部をさらに含む導電性端子であって、前記尾部はプリント回路基板に挿入されるように構成されており、前記本体、前面接触部、背面接触部及び尾部は、導電性端子の全長を通って延在する中心線を画定するように、直線的に配置され、前記前面接触部は前記中心線により画定された面に沿って屈折可能である、複数の導電性端子と、を備えた、電気コネクタ。
【請求項２】
前記前面接触部は第１の方向に屈折可能に構成されており、前記背面接触部は、前記第１の方向と反対の第２の方向に挿入される噛み合い接触部と係合するように構成されている、請求項１に記載の電気コネクタ。
【請求項３】
前記シールドは曲面である上壁を含む、請求項１に記載の電気コネクタ。
【請求項４】
前記背面接触部は前記突端から離れるように延在する弓状部を含む、請求項１に記載の電気コネクタ。
【請求項５】
前記尾部は前記本体と略垂直に延在する、請求項１に記載の電気コネクタ。
【請求項６】
前記尾部は前記本体から形成され、前記尾部の形成において前記本体に孔が形成される、請求項５に記載の電気コネクタ。
【請求項７】
前記ハウジングは、上壁、下壁、一対の側壁、および前記上壁と前記下壁とを共に接続する少なくとも１つの中間壁を備えており、前記壁は前記端子収容通路を画定し、前記ハウジングの前記上壁は湾曲している、請求項１に記載の電気コネクタ。
【請求項８】
前記ハウジングの前記前部に配置された絶縁カバーをさらに備えており、該カバーは、前記複数の端子の前記前面接触部を超えて延在する上壁を有する、請求項１に記載の電気コネクタ。
【請求項９】
前記ハウジングは前記下壁から延在する棚を含み、該棚は該棚と前記突端との間の収容空間を画定し、前記シールドの前記上壁は前記突端の後部端から前記カバーに延在し、前記シールドは前記棚と前記突端との間に配置された下壁、および前記ハウジングの前記側壁大部分を覆う一対の側壁をさらに含む、請求項８に記載の電気コネクタ。
【請求項１０】
前記ハウジングは前記棚と前記突端との間に配置されたスロットを含み、前記シールドの前記下壁は、前記スロットに挿入される突起を含む、請求項９に記載の電気コネクタ。
【請求項１１】
前記カバーは前記ハウジングおよび前記シールドに取り付けられており、前部、該前部と反対側の後部、および前記カバーの前記前部と前記後部との間に延在する端子収容通路を有しており、前記端子の前記前面接触部は前記カバーの前記端子収容通路内に配置されている、請求項１０に記載の電気コネクタ。
【請求項１２】
前記カバーは一対のスロットを含み、前記シールドは、前記スロットに挿入される一対の指部を含む、請求項１１に記載の電気コネクタ。
【請求項１３】
上壁、下壁、一対の側壁、前記上壁と前記下壁とを共に接続する少なくとも１つの中間壁、および前記下壁から延在する棚を含む絶縁ハウジングであって、前記壁は端子収容通路を画定し、前記棚は該棚の一部と前記下壁との間の収容空間を画定する絶縁ハウジングと、
前記端子収容通路に取り付けられており、本体、該本体の前部から延在する前面接触部、前記本体の後部から延在する背面接触部、および前記本体から延在する尾部を有する導電性端子であって、前記本体、前面接触部、背面接触部及び尾部は、導電性端子の全長を通って延在する中心線を画定するように、直線的に配置され、前記尾部は前記本体から形成され、該本体に孔が形成される導電性端子と、
前記ハウジングの前記上壁の大部分を覆う上壁、前記ハウジングの前記下壁の大部分を覆う下壁、および前記ハウジングの前記側壁の大部分を覆う一対の側壁を含む導電性シールドであって、該シールドの前記下壁は前記棚に支持されるように、前記ハウジングの前記収容空間内に配置されており、前記ハウジングが前記導電性端子と前記シールドとの間を絶縁する、導電性シールドと、を備えた、電気コネクタ。
【請求項１４】
前記尾部は前記本体と垂直に延在し、前面接触部と背面接触部との間に配置される、請求項１３に記載の電気コネクタ。
【請求項１５】
前記ハウジングの前記上壁は湾曲している、請求項１３に記載の電気コネクタ。
【請求項１６】
前記棚はスロットを含み、前記シールドは、前記スロットに挿入される突端を含む、請求項１３に記載の電気コネクタ。
【請求項１７】
前記カバーは一対のスロットを含み、前記シールドは、前記スロットに挿入される一対の突端を含む、請求項１６に記載の電気コネクタ。
【請求項１８】
前記ハウジングおよび前記シールドに取り付けられた絶縁カバーをさらに含み、該カバーは前記ハウジングから分離し、前記カバーは、前部、該前部と反対側の後部、および前記カバーの前記前部と前記後部との間に延在する端子収容通路を有し、前記端子の前記前面接触部は前記カバーの前記端子収容通路内に配置される、請求項１３に記載の電気コネクタ。
【発明の詳細な説明】
【技術分野】
【０００１】
関連出願
本願は、米国仮特許出願第６１／４３４，１８３号（２０１１年１月１９日出願）の優先権を主張するものであり、その全体が参照により本明細書に組み込まれる。
【０００２】
本発明は、バッテリの充電に用いるのに適した電気コネクタに関するものである。
【背景技術】
【０００３】
バッテリとプリント回路基板および電子デバイスとの接続に用いられる多くの電気コネクタが提供されてきた。このような電気コネクタの例は米国特許出願第６，８５１，９８６号に開示されている。既存の電気コネクタは特定の用途には十分適することが証明されているが、高電流の用途にはあまり好ましくはない。ほとんどのバッテリが高電流を通して充電できないため、このことは問題とは認識されてこなかった。技術の進歩に伴い、より高電流を用いたバッテリの充電がより実行可能になってきた（これにより、再充電時間が大幅に短縮される）。この結果、高電流の使用に適した電気コネクタのさらなる改善が特定の個人により理解されるであろう。
【発明の概要】
【課題を解決するための手段】
【０００４】
電気コネクタは、絶縁ハウジング、その内部に取り付けられた導電性端子、およびハウジングの大部分を覆う導電性シールドを含む。ハウジングの棚はシールドの一部を支持する。各端子は本体、本体の端から延在し、バッテリの接触部と係合可能な前面接触部、本体の端から延在し、電子デバイスの接触部と係合可能な背面接触部、および本体から垂直に延在する尾部を有する。尾部は前面接触部と背面接触部との間に配置される。前面接触部は本体の中心線により画定された面に沿って屈折可能である。
【０００５】
記載の実施形態の構成および方法は、同様の要素の特定に同一の参照番号が用いられる添付図面に関連する以下の説明を参照してより良く理解され得る。
【図面の簡単な説明】
【０００６】
【図１】バッテリと、プリント回路基板と、電子デバイスのケーブルとに接続する電気コネクタの実施形態を示す上面斜視図である。
【図２】図１に示す電気コネクタの構成部品を示す分解上面斜視図である。
【図３】図１に示す電気コネクタの構成部品を示す分解底面斜視図である。
【図４】図１に示す電気コネクタに用いられるハウジングを示す上面斜視図である。
【図５】ハウジングを示す側面図である。
【図６】ハウジングを示す正面斜視図である。
【図７】ハウジングを示す正面平面図である。
【図８】ハウジングを示す底面斜視図である。
【図９】ハウジングを示す背面平面図である。
【図１０】図１に示す電気コネクタに用いられる端子を示す正面斜視図である。
【図１１】端子を示す平面図である。
【図１２】端子を示す側面図である。
【図１３】図１に示す電気コネクタに用いられるカバーを示す背面斜視図である。
【図１４】カバーを示す背面平面図である。
【図１５】カバーを示す正面斜視図である。
【図１６】図１に示す電気コネクタに用いられるシールドを示す背面斜視図である。
【図１７】シールドを示す背面平面図である。
【図１８】シールドを示す平面図である。
【図１９】シールドを示す底面図である。
【図２０】シールドを示す側面図である。
【図２１】互いに接続したシールド、ハウジング、および端子を示す側面図である。
【図２２】互いに接続したシールド、ハウジング、および端子を示す背面図である。
【図２３】図２２の線２３−２３に沿う断面図である。
【図２４】図２２の線２４−２４に沿う断面図である。
【図２５】バッテリと、プリント回路基板と、電子デバイスのケーブルとに接続した電気コネクタの端子を示す斜視図である。
【発明を実施するための形態】
【０００７】
本発明は種々の態様の実施形態をとることが可能であるが、本開示が例示であると考えることおよび本発明をここに説明及び記載されるものに限定する意図のないことを了解したうえで、特定の実施形態が図に開示され、さらにここで詳細に説明される。それ故、特に断りのない限り、簡潔さを目的として示されていない場合でも本明細書に開示された特性を結合してさらなる組み合わせを構成することができる。示す実施形態の記述を容易にするために、下方、上方、その他の用語が用いられるが、これらの用語が開示された各要素の使用に必須となる位置を意味しないことが理解される。
【０００８】
示す構造の１つの利点は、バッテリまたは回路基板に係合するための個々の端子が無くとも、回路基板へのコネクタの取り付け、およびコネクタからバッテリへの高電流の供給が可能になることである。それ故、現在入手可能なものよりも高い性能および電流処理を提供しつつ、コネクタのコストを低く抑えることができ、かつ構造が小型化可能である。さらに、外部電源と対応するバッテリとの間の直接路を提供するように端子が構成されるため、このような高電流の処理のために支持回路基板が構成される必要はなく、それ故、よりコスト効率が改善される。実施形態では、例えば、端子はケーブルから直接バッテリに６．０Ａの直流を供給し得る。
【０００９】
図に示すように、電気コネクタ２０は、誘電または絶縁ハウジング２２と、ハウジング２２の端子収容通路２６に格納される複数の導電性端子２４と、ハウジング２２の大部分を囲む導電性シールド２８と、ハウジング２２およびシールド２８と結合する誘電または絶縁カバー３０とを含む。電気コネクタ２０はバッテリ３２と、携帯電子デバイス（図示せず）のプリント回路基板（ＰＣＢ）３４およびケーブル３６とを接続する。電気コネクタ２０、バッテリ３２、およびケーブル３６は、互いに直線上に配置され得る。電気コネクタ２０はバッテリ３２からＰＣＢ３４に電力を供給することができ、さらにはケーブル３６を通して携帯電子デバイスを充電するのにも用いられ得る。電気コネクタ２０はケーブル３６からバッテリ３２に、大電流にもなり得る電力を送るのに用いることができる。多くのバッテリがより低い電圧（例えば、２４ボルト未満）で機能するように構成されるためこれは有用であり、それ故、バッテリが高電流の充電に耐え得る限りは、より高電流をバッテリの充電に用いることが有用である。
【００１０】
図４〜図９に最もよく示すように、ハウジング２２は誘電体などにより単一成形されたワンピース構造でもよい。ハウジング２２は、上壁３８、下壁４０、上壁３８と下壁４０とを接続する一対の側壁４２、４４、および上壁３８と下壁４０とを接続する一対の平行な直立壁４６、４８を含む。
【００１１】
側壁４２、４４および直立壁４６、４８は互いに間隔を置いて配置され、平行に間隙を介して、ハウジング２２を通る複数の端子収容通路２６を形成する。各側壁４２、４４は略長方形であり、その内面に沿い、側壁４２、４４の後部５４から側壁４２、４４の前部５６に延在する伸長水平スロット５０、５２を有する。各直立壁４６、４８は、その両側において内側に形成され、直立壁４６、４８の後部から直立壁４６、４８の前部に延在する伸長水平スロット６０、６２を有する。
【００１２】
上壁３８は、側壁４２、４４および直立壁４６、４８に接続する本体６２と、本体６２の前部から延在し、互いに間隙を介する複数のペグ６４と、本体６２の後部６８並びに側壁４２、４４および直立壁４６、４８の後部から延在する突端６６を有する。本体６２は側壁４２、４４および直立壁４６、４８に接続する平坦下面７０と、湾曲上面７２とを有する。ペグ６４は上壁３８の前部から前方に延在する。ペグ６４は側壁４２、４４および直立壁４６、４８と位置を合わせて配置される。
【００１３】
突端６６は、本体６２並びに側壁４２、４４および直立壁４６、４８の後部に接続される前部、前部と反対側の後部、前部と後部との間に延在する底面７４および上面７６を有する。上面７４は本体６２の上面７２の曲面にほぼ形状が一致するように湾曲し、本体６２の後部に段部７８が突端６６の湾曲上面７６を囲むように湾曲上面７２からずれた位置にある。突端６６の下面７４は本体６２の下面７０から垂直方向にずれた位置にある。突端６６の下面７４には互いに間隙を介する複数の溝８０が形成される。各溝８０は対向側壁８２、上壁８４、および後部壁８６を有する。後部壁８６と突端６６の後部とは所定距離だけ間隔が空いている。各後部壁８６には、そこから後方に所定距離だけ延在するスロット８７が形成される。側壁８０は側壁４２、４４および直立壁４６、４８各々に位置を合わせて配置される。各溝８０の上壁８４は本体６２の下面７０に位置を合わせて配置される。
【００１４】
下壁４０は、側壁４２、４４および直立壁４６、４８に接続する本体８８と、本体８８の下面９１から延在する棚９０と、本体８８の下面９１から延在する一対の補強リブ９２とを有する。本体８８は前部、後部、側壁４２、４４および直立壁４６、４８に接続する平坦上面、および平坦下面を有する。本体８８の前部は上壁３８の本体６２の前部に位置を合わせて配置される。下壁４０の本体８８の後部は、上壁３８の本体６２の後部に位置を合わせて配置される。下壁４０の前部には複数の切り出し９４が形成される。切り出し９４は端子収容通路２６に位置を合わせて配置される。
【００１５】
棚９０は略Ｌ字形であり、垂直壁９６および水平壁９８を有する。垂直壁９６は下壁４０の後部に近接するが、それから間隔を空けた位置において、下壁４０の下面９１から下向きに延在する。水平壁９８は垂直壁９６の下端からそれと垂直に所定距離だけ後方に延在する。水平壁９８は突端６６が延在する位置までは後方に延在しない。この結果、垂直壁９６と水平壁９８および下壁４０との間に空間１００が形成され、水平壁９８とケーブル収容伸長部６６との間に空間１０２が形成される。
【００１６】
本体６２の下壁４０および棚９０の垂直壁９６を通る通路１０４が形成される。各通路１０４の前部および後部は開いている。垂直壁９６を通り延在する通路１０４の下部１０５は、垂直壁９８の後部から前方に延在する第１の部分、および第１の部分から垂直壁９８の前部に向かい前方に延在する第２の部分を有する。第１の部分は垂直壁の後部および側壁の前部における前壁から延在する一対の側壁を含む。各側壁は垂直壁９６の後部から前方および内側に延在する第１のテーパ部１０６、および第１のテーパ部１０６の前部から前方に延在する第２の垂直部１０８を有する。第２の部分は垂直壁９６の前部を通る方形開口１１０により形成される。第２の部分の寸法は第１の部分のそれよりも小さい。
【００１７】
補強リブ９２は下壁４０の下面９１から延在する。補強リブ９２は棚９０の垂直壁９６を起点とし、下壁４０の前部に向かい前方に延在する。補強リブ９２は互いに間隙を介し、直立壁４６、４８と垂直に位置を合わせて配置される。
【００１８】
図１０〜図１２に示すように、各導電性端子２４は本体１１２、バッテリ３２の接触部と電気的に接続するための前面接触部１１４、ＰＣＢ３４上の配線と電気的に接続する尾部１１６、および突端６６により支持され、関連ケーブル３６と電気的に接続する背面接触部１１８を含む。端子２４の全長と平行に中心線１１９が画定されるように、本体１１２、前面接触部１１４、尾部１１６、および背面接触部１１８は互いに直線上に配置される。端子２４は当業界で周知の方法で型押しすることができ、導電性シートメタル材料から形成され得る。また、適切な材料で被覆され得る。
【００１９】
本体１１２は略長方形かつ平面である。前部に近接するその両側に固定翼部１２０が形成される。
【００２０】
尾部１１６の両側に本体１１２の部分１２２が備えられるように、適切な手段で本体１１２から尾部１１６が突き出る。尾部１１６は本体１１２の下面から、それと垂直に延在する。理解されるように、尾部１１６は支持回路基板のビアに挿入されるように構成され得る。
【００２１】
前面接触部１１４は略Ｕ字形であり、本体１１２を向いて垂直に延在する第１の直立部１２３、および第１の直立部１２３の上端から上方および前方に延在する第２の弓状部１２４、第２の弓状部１２４から外側および前方に湾曲する第３の弓状部１２６、第３の弓状部１２６から外側および下向きに湾曲する第４の弓状部１２８、および第４の弓状部１２８の端から延在する第５の直線部１３０を含む。第５の直線部１３０の両側から、その自由端において翼部１３２が延在する。
【００２２】
背面接触部１１８は、本体１１２の後部に接続する前部を有する第１の直線部１３４、第１の直線部１３４から延在する突起部１３６、および第２の突起部１３６の端から延在する第３の直線部１３８を含む。第１の直線部１３４および第３の直線部１３８は本体１１２と同一面に位置する。
【００２３】
ハウジング２２の側壁４２、４４および直立壁４６、４８における各スロット５０、５２、６０、６２に各端子２４の本体１１２が固定される。スロット５０、５２、６０、６２の壁に固定翼部１２０が噛み合い、ハウジング２２からの端子２４の取り外れを防止する。端子２４の尾部１１６は下壁４０の各切り出し９４内に固定され、そこから下向きに延在する。前面接触部１１４の残りの部分がハウジングの前方に延在するように、前面接触部１１４各々の第１の直立部１２３はペグ６４各々の間に位置する。各溝８０の上壁８４で終端となるように、突端６６の各溝８０内に背面接触部１１８が固定される。各端子２４の後部を堅く保持するように、図２４に示す各スロット８７内に各端子２４の第３の部分１３８が固定される。
【００２４】
図１３〜図１５に示すカバー３０は、上壁１４０、上壁１４０の前部に沿いそこから下向きに延在する前壁１４２、上壁１４０の両端から下向きに延在する側壁１４４、１４６、およびそこから下向きに垂れ下がる間隙を介する一対の直立壁１４８、１５０を有する。側壁１４４、１４６および直立壁１４８、１５０は互いに間隙を介し、複数の端子収容空間１５２を画定する。各側壁１４４、１４６の下端から取り付けペグ１５４が延在する。
【００２５】
各側壁１４４、１４６は略長方形であり、前面、裏面１５６、外面、内面１５８、および底面１５９を有する。各側壁１４４、１４６は内面１５８に伸長切り出し１６０を有し、これは底面１５９から所定距離だけ上方に延在し、かつ裏面１５６から所定距離だけ前方に延在する。各側壁１４４、１４６はその裏面１５６に収納部１６２をさらに含み、これは切り出し１６０と上壁１４０との間に配置される。各収納部１６２は内面１５８から所定距離だけ外側に延在し、ハウジング２２のペグ６４に一致する形状である。各側壁１４４、１４６には伸長スロット１６４が形成される。各スロット１６４は裏面１５６を起点とし、所定距離だけ前方に延在する。各側壁の外面と切り出し１６０／収納部１６２との間に各スロット１６４が形成される。
【００２６】
各直立壁１４８、１５０は略長方形であり、前面、裏面１６６、対向側面１６８、１７０、および底面１７２を有する。各直立壁１４８、１５０は各側面１６８、１７０に伸長切り出し１７４を有し、これは底面１７２から所定距離だけ上方に延在し、かつ裏面１６６から所定距離だけ前方に延在する。各直立壁１４８、１５０はその裏面１６６に収納部１７６をさらに含み、これは切り出し１７４と上壁１４０との間に配置される。各収納部１７６はハウジング２２のペグ６４に一致する形状であり、これは側面１６８と側面１７０との間に延在する。
【００２７】
図１６〜図２０に最もよく示すように、シールド２８は上壁１７８、下壁１８０、および上壁１７８と下壁１８０とを連結する一対の側壁１８２から形成される。壁１７８、１８０、１８２により直通通路１８６が画定され、ここにケーブル３６およびハウジング２２が挿入される。各壁１７８、１８０、１８２の後部は、シールド２８へのケーブル３６の挿入を促進するための１つ以上の湾曲部１８８を含む。
【００２８】
上壁１７８は湾曲しており、その内部に形成された一対の屈折可能なロッキングアーム１９０を有する。各ロッキングアーム１９０は、３辺において孔１９２の分だけ上壁１７８の残りの部分から隔てられる。各ロッキングアーム１９０は、上壁１７８の残りの部分に一致する形状であり、それに取り付けられた本体１９４、およびその自由端において通路１８６内に延在する湾曲突起部１９６を含む。各突起部１９６は上壁１７８の後部に近接するが、それから間隔を空けて配置される。ロッキングアーム１９０は上壁１７８の残りの部分に対して外側に屈折し得る。
【００２９】
下壁１８０は略長方形かつ平面である。下壁１８０の全長は上壁１７８の全長よりも短い。突起部１９８が下壁１８０の前部から前方に延在する。突起部１９８は棚９０内の通路１０４の下部１０５に一致する形状である。下壁１８０には一対の屈折可能なロッキングアーム２００が形成される。各ロッキングアーム２００は、３辺において孔２０２の分だけ下壁１８０の残りの部分から隔てられる。各ロッキングアーム２００は、下壁１８０の残りの部分に一致する形状であり、それに取り付けられた本体２０４、およびその自由端において通路１８６内に延在する湾曲突起部２０６を含む。各突起部２０６は下壁１８０の後部に近接するが、それから間隔を空けて配置される。ロッキングアーム２００は、下壁１８０の残りの部分に対して外側に屈折し得る。
【００３０】
各側壁１８２は略長方形かつ平面である。各側壁１８２の前部から指部２０８が前方に延在し、これはカバー３０の各側壁１４４、１４６のスロット１６４に一致する形状である。ＰＣＢ３４に取り付けるための間隙を介する第１および第２の取り付け脚２１０、２１２が、各側壁１８２の下端から垂直方向下向きに延在する。下壁１８０の前部に近接して第１の取り付け脚２１０が配置される。各側壁１８２の前部に近接して第２の取り付け脚２１２が配置される。各側壁１８２から下向きおよび内側に延在する保持アーム２１４が、第１の取り付け脚２１０と第２の取り付け脚２１２との間に配置される。各保持アーム２１４は略Ｌ字形であり、側壁１８２から下向きに延在する垂直部２１６、および垂直部２１６と垂直に内側に延在する水平部２１８を含む。各側壁１８２には屈折可能なロッキングアーム２２０が形成される。各ロッキングアーム２２０は、３辺において孔２２２の分だけ各側壁１８２の残りの部分から隔てられる。各ロッキングアーム２２０は、各側壁１８２の残りの部分に一致する形状であり、それに取り付けられた本体２２４、およびその自由端において通路１８６内に延在する湾曲突起部２２６を含む。本体２２４はその後部に近接する各側壁１８２の残りの部分に取り付けられる。各突起部２２６はその後部から間隔を空けて配置される。ロッキングアーム２２０は各側壁１８２の残りの部分に対して外側に屈折し得る。
【００３１】
図２１〜図２４に示すように、その内部に取り付けられた端子２４を備えたハウジング２２がシールド２８内に固定される。ハウジング２２の湾曲上壁３８はシールド２８の湾曲上壁１７８に固定され、シールド２８の上壁１７８および側壁１８２の前部から前方に延在するペグ６４が、カバー３０の関連する収納部１６２、１７６に挿入し得る。シールド２８の下壁１８０の前部は、ハウジング２２の下壁４０と棚９０の水平壁９８との間の空間１００に固定される。シールド２８の下壁１８０の一部は、棚９０の水平壁９８の上面に固定される。棚９０はシールド２８を支持するように機能する。シールド２８の下壁１８０の突端１９８が、垂直壁９６を通り延在する通路１０４の下部１０５に固定される。保持アーム２１４がハウジング２２の下壁４０に係合し、ハウジング２２とシールド２８とを固定する。
【００３２】
突端６６は通路１８６内に固定される。突端６６の湾曲上面７６は、シールド２８の上壁１７８および側壁１８２、１８４から間隔を空けて配置され、突端６６の下面７４は、シールド２８の下壁１８０から間隔を空けて配置される。これにより、シールド２８と突端６６との間にケーブル挿入空間２２８が画定される。湾曲形状である上面７６が有益な美的外観をもたらすことは言うまでもない。湾曲形状の使用は一定の機能的な恩恵をもたらすことができ、要求される湾曲外形は所望に応じて変更され得る。
【００３３】
空間２２８を埋めるように、ケーブル３６のケーブルハウジング２３０がそこに取り付けられる。シールド２８の湾曲上壁１７８の形状に重なるように、ケーブルハウジング２３０の上壁２３１は湾曲する。シールド２８の湾曲上壁１７８は、ユーザがケーブルハウジング２３０を適切な方向に向けるための視覚的な手段を与える。挿入中、ケーブルハウジング２３０が空間２２８内に挿入されている間はシールド２８のロッキングアーム１９０、２００、２２０が外側に屈折するが、突起部１９６、２０６、２２６がケーブルハウジング２３０の関連する孔（図示せず）に入ってロッキングアーム１９０、２００、２２０が自然な位置に戻ると、ケーブルハウジング２３０とシールド２８とが共に固定される。ロッキングアーム１９０、２００、２２０はケーブルハウジング２３０に概算で７〜１０ポンドの力を加えることにより、コネクタ２０を保持する。ケーブルハウジング２３０とコネクタ２０との間により大きな間隔が要求される場合には、この特性はより小さな屈折力または保持力に調節され得る。挿入されると、ケーブルハウジング２３０の接触部２３２が、端子２４の背面接触部１１８の突起部１３６に結合する。突起部１３６は一致して係合するために変形し得る。突起部１３６の変形に伴う背面接触部１１８の伸張に十分な間隔がスロット８７により形成される。
【００３４】
ハウジング２２の前面を側壁１４４、１４６および直立壁１４８、１５０の裏面に接触するように配置して、ハウジング２２とカバー３０とを連結する。ハウジング２２のペグ６４は、カバー３０の収納部１６２、１７６に挿入される。各端子２４の前面接触部１１４は、カバー３０の各端子収容空間１５２内に固定される。各端子２４の第４の弓状部１２８は、側壁１４４、１４６および直立壁１４８、１５０の前面の前方に延在する。各端子２４の第５の部分１３０の翼部１３２が、各側壁１４４、１４６および直立壁１４８、１５０の切り出し１６０、１７４内に固定され、これにより、カバー３０から端子２４の前面接触部１１４が外れることを防ぐ。各翼部１３２の外端は各側壁１４４、１４６および直立壁１４８、１５０に係合する。カバー３０およびハウジング２２は、例えば、接着剤、超音波溶接などにより共に連結するのに適している。
【００３５】
バッテリ３２はバッテリ３２と電気コネクタ２０とを電気的に接続する接触部２３４を有し、これは端子２４の第４の弓状部１２８と係合する。バッテリ３２はカバー３０の前面で終端となり、第２の弓状部１２４、第３の弓状部１２６、および／または第４の弓状部１２８はカバー３０内において屈折可能である。各端子２４の第５の部分１３０の翼部１３２が、各側壁１４４、１４６および直立壁１４８、１５０の切り出し１６０、１７４に係合すると、端子２４は主にその中心線１１９の面に沿って屈折する。
【００３６】
各端子２４の前面接触部１１４は、バッテリ側に３．０ｍｍの間隔幅を画定する。各端子２４の背面接触部１１８は、ケーブル側に３．０ｍｍの間隔幅を画定する。テイルもまた、約３．０ｍｍの間隔幅を介して配置される。それ故、例示の実施形態は、所望の電気的分離および／または熱散逸を可能にするための十分な空間が端子間に形成される。図２５に示すように、電気コネクタ３０はバッテリ３２の端子とケーブル３６の端子との間を滑らかに移動する。図に示すように、第４の弓状部１２８の高さはバッテリ３２の接触部２３４の位置に一致し、これにより、バッテリ３２の上端とハウジング２８の上面とが同一平面に位置する。
【００３７】
カバー３０の取り付けペグ１５４はＰＣＢ３４上の適切な穴部に取り付けられ、適切な手段によりそこに固定される。シールド２８の取り付け脚２１０、２１２はＰＣＢ３４の穴部に固定され、はんだ付けされ、これによりシールド２８がＰＣＢ３４に接地される。端子２４の尾部１１６はＰＣＢ３４の適切な穴部に取り付けられ、圧入またははんだ付けなどの適切な手段によりそこに固定される。理解されるように、これによりコネクタの端子２４が支持回路基板に、より堅く固定され、（例えば、ケーブルコネクタの挿入により生じ得る）端子２４の繰り返し応力を受けた後でさえも、回路基板との電気的接続を有用に維持する。
【００３８】
記述の実施形態が示され、記載されたが、添付請求項の趣旨および範囲から逸脱することなく当業者が種々の変更を案出し得ることが理解される。
【図１】
0005389957.tif 000002
【図２】
0005389957.tif 000003
【図３】
0005389957.tif 000004
【図４】
0005389957.tif 000005
【図５】
0005389957.tif 000006
【図６】
0005389957.tif 000007
【図７】
0005389957.tif 000008
【図８】
0005389957.tif 000009
【図９】
0005389957.tif 000010
【図１０】
0005389957.tif 000011
【図１１】
0005389957.tif 000012
【図１２】
0005389957.tif 000013
【図１３】
0005389957.tif 000014
【図１４】
0005389957.tif 000015
【図１５】
0005389957.tif 000016
【図１６】
0005389957.tif 000017
【図１７】
0005389957.tif 000018
【図１８】
0005389957.tif 000019
【図１９】
0005389957.tif 000020
【図２０】
0005389957.tif 000021
【図２１】
0005389957.tif 000022
【図２２】
0005389957.tif 000023
【図２３】
0005389957.tif 000024
【図２４】
0005389957.tif 000025
【図２５】
0005389957.tif 000026